(57)【要約】【課題】ポンプディスペンサーを取り付けた液体容器や噴霧器内に吸い上げられずに残る液体を極力少なくする吸い込み口部品を提供する。【解決手段】容器内液体を吸い上げるため容器口に取り付けた吸い上げ機構から内溶液中に垂下される吸い上げ管の吸い込み口に取り付ける吸い込み口部品であって、有底筒状のチューブと、該チューブの内底近くの側壁から該側壁を貫いて斜め下方に放射状に伸びる複数の吸い上げ枝管とで構成し、チューブの内径は吸い上げ管を嵌入できるように吸い上げ管の外径に等しくし、各吸い上げ枝管は柔軟性のある材料で形成し、先端がチューブの底面より下方となる位置まで伸びる寸法とし、先端は閉塞し、先端近くの下面側側壁に複数の吸い込み孔を形成する。【選択図】図１
2015182778.tif 000002
【特許請求の範囲】
【請求項１】
容器内液体を吸い上げるため容器口に取り付けた吸い上げ機構から内溶液中に垂下される吸い上げ管の吸い込み口に取り付ける吸い込み口部品であって、
有底筒状のチューブと、該チューブの内底近くの側壁から該側壁を貫いて斜め下方に放射状に伸びる複数の吸い上げ枝管を備えて構成され、
前記チューブの内径は前記吸い上げ管を嵌入できるよう吸い上げ管の外径に等しくしてあり、
前記各吸い上げ枝管は、柔軟性ある材料で形成され、先端は前記チューブの底面より下方となる位置まで伸びており、先端は閉塞され、先端近くの下面側側壁には複数の吸い込み孔が形成してあることを特徴とする吸い込み口部品。
【請求項２】
請求項１に記載の吸い込み口部品において、前記吸い込み孔の外側開口部には該吸い込み孔を取り巻く円筒状壁が形成され、該円筒状壁には内溶液を壁内側に侵入させるための切り込みが形成してあることを特徴とする吸い込み口部品。
【請求項３】
請求項１又は２に記載の吸い込み口部品において、前記チューブに前記吸い上げ管を嵌入するのに代えて、前記チューブを吸い上げ管と一体的に形成したことを特徴とする吸い込み口部品。
【発明の詳細な説明】
【技術分野】
【０００１】
本発明は、シャンプー、ハンドソープ等の液体を定量吐出するため容器口に取り付けられるポンプディスペンサーや、容器内高圧ガスの圧力で容器内液体を噴霧する噴霧器において、容器口機構から溶液中に垂下される吸い上げ管の吸い込み口に取り付けて使用する吸い込み口部品に関する。
【背景技術】
【０００２】
シャンプー、ハンドソープ等の液体内容物を定量吐出するためのポンプディスペンサーが口に取り付けられた液体容器が広く使用されている。図１２はこのような容器の例である。ポンプディスペンサー５１は、内部にポンプ機構を備え容器５０を密閉するように容器口に取り付けられる。ポンプディスペンサー５１の下部からは、内溶液を吸い上げるための吸い上げ管５２が容器の底近くまで垂下されている。手動操作によってポンプディスペンサー５１のヘッド５３を押し下げると、ポンプ機構により吸い上げ管５２を通して内溶液が一定量吸い上げられ、ヘッド５３に取り付けた吐出口５４から吐出される。吸い上げ管５２の下端の吸い込み口５５は、簡単なものでは円筒状吸い上げ管５２の下端を斜めに切断してあるだけである。このような吸い上げ管は、容器内高圧ガスの圧力で容器内液体を噴霧する噴霧器にも用いられる。
【０００３】
内溶液の残量が少なくなって液面レベルが吸い込み口５５より下になると、残りの内溶液はポンプディスペンサー５１では最早、吸い上げできない。円筒状吸い上げ管５２の下端を斜めに切断しただけの吸い込み口構造では、吸い上げできずに残る溶液の量が多いため、その残存量を少なくするための吸い上げ管５２、及び下端吸い込み口５５の構造が各種提案されている。
【０００４】
例えば、特許文献１には、吸い上げ管の下端部に吸い込み部を設け、その外周部に複数の液体流入口を設けたボトルが開示されている。しかし、液体流入口を外周部に設けたのでは、流入口レベルより下にある液体は吸い上げできない。また、底中央部が盛り上がっている構造の容器では、盛り上がり周りの低位部の液体は吸い上げできずに残る。特許文献２、３には、吸い上げ管の下端に下方に向けて広がる先端部を設け、その先端部に２つの切り込みを設けた構造が提案されている。しかし、この場合も底中央部が盛り上がった構造の容器では、盛り上がり周りの低位部に液体が残ってしまう。
【先行技術文献】
【特許文献】
【０００５】
【特許文献１】特開２００４−３３００００号公報
【特許文献２】特表２０１２−５３２８０９号公報
【特許文献３】特開昭６０−９９３５８号公報
【発明の概要】
【発明が解決しようとする課題】
【０００６】
本発明は、従来技術のこうした問題点を解決するためになされたもので、その課題は、ポンプディスペンサーを取り付けた液体容器や噴霧器内に垂下された吸い上げ管に取り付けることにより、吸い上げられずに容器内に残る液体の量を極力少なくすることのできる吸い込み口部品を提供することにある。
【課題を解決するための手段】
【０００７】
前記課題を解決するための請求項１に記載の発明は、容器内液体を吸い上げるため容器口に取り付けた吸い上げ機構から内溶液中に垂下される吸い上げ管の吸い込み口に取り付ける吸い込み口部品であって、有底筒状のチューブと、該チューブの内底近くの側壁から該側壁を貫いて斜め下方に放射状に伸びる複数の吸い上げ枝管を備えて構成され、チューブの内径は吸い上げ管を嵌入できるよう吸い上げ管の外径に等しくしてあり、各吸い上げ枝管は、柔軟性ある材料で形成され、先端はチューブの底面より下方となる位置まで伸びており、先端は閉塞され、先端近くの下面側側壁には複数の吸い込み孔が形成してあることを特徴とする吸い込み口部品である。
【０００８】
このような構成の吸い込み口部品を吸い上げ管の下端に取り付け、吸い込み口部品のチューブ下面が容器底面に接触した状態になるように吸い上げ管を押し込めば、吸い上げ枝管は曲がって枝管下面側側壁の複数の吸い込み孔は容器底面に接近した状態になる。これにより液体容器内の殆ど全ての液体をポンプディスペンサーで吸い上げることができる。
【０００９】
また、請求項２に記載の発明は、請求項１に記載の吸い込み口部品において、吸い込み孔の外側開口部には該吸い込み孔を取り巻く円筒状壁が形成され、該円筒状壁には内溶液を壁内側に侵入させるための切り込みが形成してあることを特徴とする吸い込み口部品である。
【００１０】
このような構成とすれば、内溶液は切り込みを通って吸い込み孔に吸い込まれるため、吸い込み孔が容器底面に接近しすぎるが防止される。
【００１１】
また、請求項３に記載の発明は、請求項１又は２に記載の吸い込み口部品において、チューブに吸い上げ管を嵌入するのに代えて、チューブを吸い上げ管と一体的に形成したことを特徴とする吸い込み口部品である。
【００１２】
容器の形状が決まっている場合には、吸い込み口部品の底面が容器底面に接近した状態となるように吸い上げ管部の長さを決めることができる。そのような長さにすれば吸い上げ枝管は曲がって容器底面に接触し、吸い込み孔は容器底面に接近した状態となるため請求項１の発明と同様の効果が得られる。
【図面の簡単な説明】
【００１３】
【図１】吸い込み口部品４を取り付けた使用状態の断面図である。
【図２】吸い込み口部品４の正面図である。
【図３】吸い込み口部品４の平面図である。
【図４】吸い込み口部品４の底面図である。
【図５】図３中のＢ−Ｂ線に沿った断面図である。
【図６】吸い込み口部品４の取り付け方の説明図である。
【図７】チューブ５の底面７が液体容器１の底面に当接した状態の断面図である。
【図８】図７における吸い込み孔８の中心を通るＣ−Ｃ線に沿った断面図である。
【図９】吸い込み孔８の開口部周りに設けた円筒状壁１３の底面図と側面図である。
【図１０】円筒状壁１３を設けた吸い込み孔８部の断面図である。
【図１１】吸い込み口部品４と吸い上げ管３とを一体形成した場合の断面図である。
【図１２】ポンプディスペンサーを取り付けた従来の液体容器の断面図の例である。
【発明を実施するための形態】
【００１４】
以下、本発明に係る吸い込み口部品の一実施形態について図面を参照して説明する。図１は、液体容器１の口に取り付けたポンプディスペンサー２から垂下された吸い上げ管３の下端に吸い込み口部品４を取り付けて使用している状態の断面図である。Ａ−Ａ線より下部分は縦断面図で描いてある。図２は吸い込み口部品４の正面図、図３は平面図、図４は底面図、図５は図３中のＢ−Ｂ線に沿った断面図である。
【００１５】
吸い込み口部品４は有底筒状のチューブ５と、該チューブ５の内底近くの側壁から該側壁を貫いて斜め下方に放射状に伸びる複数の吸い上げ枝管６を備えて構成されている。チューブ５の上方開口は吸い上げ管３を嵌入できるように、内径が吸い上げ管３の外径に等しくしてある。斜め下方に伸びる吸い上げ枝管６は、その先端がチューブ５の底面７より下方位置になる寸法にしてあり、先端は閉塞されている。そして、その先端近くの下面側側壁には、複数の吸い込み孔８が下方に開口して形成してある。吸い上げ枝管６のチューブ５への取り付け部分には、隙間を塞ぐと同時に吸い上げ枝管６の取り付け角度を維持するための補強材９が取り付けてある。吸い上げ枝管６は柔軟性のある材料で製作されている。吸い上げ枝管６は柔軟性のある材料で形成されている。
【００１６】
吸い込み口部品４の取り付けは次のように行なう。図６に示すようにポンプディスペンサー２を液体容器１の口に取り付ける前に、吸い込み口部品４の上方開口にポンプディスペンサー２から垂下された吸い上げ管３の下端を僅かに嵌入させて取り付ける。その状態でポンプディスペンサー２を降下させて液体容器１の口に固定する。降下させていくと、チューブ５の底面７は、図１、図７に示すように液体容器１の底面１２に当接する。その状態から更に降下させると、吸い込み口部品４は降下しないため吸い上げ管３の吸い込み口部品４への嵌入深さが増していく。最終的にポンプディスペンサー２を液体容器１の口に固定した状態では、図１、図７に示すように吸い込み口部品４の底面７が液体容器１の底面１２に当接した状態となる。
【００１７】
吸い込み口部品４の底面７が液体容器１の底面１２に当接した状態では、吸い込み口部品４の底面１２よりも下方に伸びる吸い上げ枝管６は柔軟性により図１、図７に示すように屈曲する。屈曲すると、その先端近くの下面側に設けられた吸い込み孔８の下方開口は、液体容器１の底面１２が平坦な場合は図７に示すように液体容器１の底面１２に近接した状態になる。図１のように液体容器１の底面１２が盛り上がっている場合も吸い込み孔８の下方開口は底面１２に近接した状態になる。図８の（１）は、図７における吸い込み孔８の中心を通るＣ−Ｃ線に沿った断面図である。吸い込み孔８の先端は閉塞されているため、ポンプディスペンサー２を操作すると内溶液は液体容器１の底面と吸い込み孔８開口との間の僅かな隙間を通って吸い上げ枝管６内に吸い込まれる。吸い込まれた内溶液は吸い上げ枝管６、吸い上げ管３を通って吸い上げられ、吐出口１０から吐出される。
【００１８】
吸い込み孔８の下方開口が液体容器１の底面に近接しすぎて隙間が狭すぎる場合には、図８の（２）に示すように吸い込み孔８を真下に向けるのではなく、少し傾けた角度で設けるとよい。いずれにせよ本実施形態の吸い込み口部品４を採用した場合には、内溶液の吸い込み孔８が液体容器１の最下部の底面１２に接近した状態となるため、液体容器１の殆ど全ての液体をポンプディスペンサー２で吸い上げることができる。図１は液体容器１の底面中央部が上方に盛り上がっている場合であり、図７は底面１２が平坦な場合であるが、何れの場合も吸い上げ枝管６は斜め下方に伸びた先端がチューブ５の底面７より下方位置になる寸法にしてあるため吸い込み孔８は底面１２に接近した状態となる。
【００１９】
（変形実施形態）
以上説明した吸い込み口部品４は、次のように変形して実施してもよい。
（その１）吸い上げ枝管６の吸い込み孔８が容器底面１２に接近しすぎて開口が塞がってしまう心配がある場合には、図９、図１０に示すように吸い込み孔８の開口部周りに切り込み１４を形成した円筒状壁１３を設けるとよい。図９の（１）は吸い込み孔８の開口側から見た底面図、図９の（２）は側面図、図１０は吸い込み孔８部の断面図である。内溶液は切り込み１４を通って吸い込み孔８に吸い込まれるので、吸い込み孔８が塞がることはない。
【００２０】
（その２）前記実施形態では吸い込み口部品４をポンプディスペンサー２から垂下された吸い上げ管３に取り付けたが、吸い込み口部品４と吸い上げ管３とを一体的に形成してもよい。図１１は、そのように構成した場合の断面図である。液体容器１の大きさが決まっている場合には容器底面１２までの寸法が判明しているので、吸い込み口部品４ａの底面７が容器底面１２に接近した状態となるように吸い上げ管部３ａの長さを決める。このようにすれば、吸い上げ枝管６は曲がって容器底面１２に接触し、吸い込み孔８を容器底面１２に接触させた状態とすることができる。
【符号の説明】
【００２１】
図面中、１は液体容器、３は吸い上げ管、４は吸い込み口部品、５はチューブ、６は吸い上げ枝管、８は吸い込み孔、１３は円筒状壁、１４は切り込みを示す。
【図１】
2015182778.tif 000003
【図２】
2015182778.tif 000004
【図３】
2015182778.tif 000005
【図４】
2015182778.tif 000006
【図５】
2015182778.tif 000007
【図６】
2015182778.tif 000008
【図７】
2015182778.tif 000009
【図８】
2015182778.tif 000010
【図９】
2015182778.tif 000011
【図１０】
2015182778.tif 000012
【図１１】
2015182778.tif 000013
【図１２】
2015182778.tif 000014